(57)【要約】      （修正有）【課題】地盤の掘削孔に深く埋設された杭を確実に引き抜くことができる治具を提供する。【解決手段】地盤に埋設された杭を該杭の端部にワイヤを巻き付かせて引き上げる治具であって、筒状のケーシング２と、該ケーシングの先端部に輪部分を巻き付けて一端部を地上の引上げ手段に係合させる投げ縄状の引上ワイヤ１４と、前記ケーシングの先端部の爪状の突起部分に係合させ且つ環状部材３と係合される切断可能な紐部材４と、前記環状部材に挿通されるワイヤであってそのワイヤの一端が前記引上ワイヤの輪部分の一部に係止されワイヤの他端が地上に至るまで配設されるもので前記引上ワイヤの輪部分の押し下げをする引下ワイヤ５とからなる。【選択図】図１
0003159275.tif 000002
【実用新案登録請求の範囲】
【請求項１】
地盤に埋設された杭を該杭の端部にワイヤを巻き付かせて引き上げる治具であって、
筒状のケーシングと、
該ケーシングの先端部に輪部分を巻き付けて一端部を地上の引上げ手段に係合させる投げ縄状の引上ワイヤと、
前記ケーシングの先端部の爪状の突起部分に係合させ且つ環状部材と係合される切断可能な紐部材と、
前記環状部材に挿通されるワイヤであってそのワイヤの一端が前記引上ワイヤの輪部分の一部に係止されワイヤの他端が地上に至るまで配設されるもので前記引上ワイヤの輪部分の押し下げをする引下ワイヤとからなること、
を特徴とする杭の引抜き治具。
【請求項２】
地盤に埋設された杭を該杭の端部にワイヤを巻き付かせて引き上げる治具であって、
筒状のケーシングと、
該ケーシングの先端部に輪部分を巻き付けて一端部を地上の引上げ手段に係合させる投げ縄状の引上ワイヤと、
前記輪部分に着脱自在に装着されるもので前記輪部分に位置固定して取り付ける係止部材と該係止部材に固定される逆爪部材とでなる持上り防止部材とからなること、
を特徴とする杭の引抜き治具。
【考案の詳細な説明】
【技術分野】
【０００１】
本考案は、地盤に埋設された杭を引き抜くための杭の引抜き治具に関するものである。
【背景技術】
【０００２】
従来、地盤に埋設した杭を引き抜くには、特許文献１に記載されているように、杭の周壁回りの地盤と杭下部の地盤との縁切り作業を、高圧水噴射用の配管および縁切り用のワイヤで行うものが知られている。また、図４（Ａ）に示すように、埋設した杭１１が連結部材で繋いだ繋ぎ物である場合には、最初の１本目の杭１２は地表に近いのでその杭１２の上端部に引上ワイヤ１４などを掛けてクレーン等で引き出すことも周知である。
【先行技術文献】
【特許文献】
【０００３】
【特許文献１】特開２００４−３０８３３８号公報
【考案の概要】
【考案が解決しようとする課題】
【０００４】
しかし２本目の杭１３を引き抜くには、容易ではない。例えば、図５に示すように、引上ワイヤ１４の先端部に輪を形成して、これをケーシング１５の先端部に付けた突起部１５ａに引っ掛けて、図６に示すように、このケーシング１５とともに前記引上ワイヤ１４を掘削孔６に沈降させる。
【０００５】
そして、前記２本目の杭１３の中間程度までケーシング１５が降下したところで停止させ、前記引上ワイヤ１４においてその先端部の輪１４ａを緩めておいて、前記ケーシング１５を引き抜く。その後、前記引上ワイヤ１４の輪１４ａを杭１３の上部に巻き付かせ、この引上ワイヤ１４をクレーン等で引き上げれば、杭１３を引き抜くことができる。
【０００６】
しかしながら、前述の特許文献１の場合には、高圧水用配管や高圧水用のコンプレッサーなどを装備しなければならないのでコストが嵩み、更には、縁切りワイヤーも杭にセットすることが実際には困難を伴うものである。
【０００７】
更に、前述の図５，図６に示すような方法においては、実際には前記引上ワイヤ１４が硬くて思うように緩めることができず、ケーシング１５とともに前記引上ワイヤ１４が上に移動してしまい、２本目の杭１３の引き抜きに失敗することの方が多い。そこで、本考案に係る杭の引抜き治具は、このような課題を解決するために提案されたものである。
【課題を解決するための手段】
【０００８】
本考案に係る杭の引抜き治具の上記課題を解決して目的を達成するための要旨は、地盤に埋設された杭を該杭の端部にワイヤを巻き付かせて引き上げる治具であって、筒状のケーシングと、該ケーシングの先端部に輪部分を巻き付けて一端部を地上の引上げ手段に係合させる投げ縄状の引上ワイヤと、前記ケーシングの先端部の爪状の突起部分に係合させ且つ環状部材と係合される切断可能な紐部材と、前記環状部材に挿通されるワイヤであってそのワイヤの一端が前記引上ワイヤの輪部分の一部に係止されワイヤの他端が地上に至るまで配設されるもので前記引上ワイヤの輪部分の押し下げをする引下ワイヤとからなることである。
【０００９】
また、本考案に係る杭の引抜き治具の上記課題を解決して目的を達成するための要旨は、地盤に埋設された杭を該杭の端部にワイヤを巻き付かせて引き上げる治具であって、  筒状のケーシングと、該ケーシングの先端部に輪部分を巻き付けて一端部を地上の引上げ手段に係合させる投げ縄状の引上ワイヤと、前記輪部分に着脱自在に装着されるもので前記輪部分に位置固定して取り付ける係止部材と該係止部材に固定される逆爪部材とでなる持上り防止部材とからなることである。
【考案の効果】
【００１０】
本考案の杭の引抜き治具によれば、投げ輪状のワイヤの輪部分を、確実に地盤中の杭の先端部にセットすることができるようになる。また、持上り防止部材によっても、掘削孔の周壁に逆爪部材が引っかかるようになり、投げ縄状のワイヤの輪部分を杭の途中にセットすることができる。こうして、地盤の掘削孔に深く埋設された杭を確実に引き抜くことができるものである。
【図面の簡単な説明】
【００１１】
【図１】本考案の第１実施例に係る杭の引抜き治具１の一部を破断して示す正面図である。
【図２】同本考案の第２実施例に係る杭の引抜き治具１の斜視図である。
【図３】同第２実施例における逆爪部材１０の２例の詳細を示す一部拡大斜視図（Ａ），（Ｂ）である。
【図４】地盤１６に埋設された杭１１を引き抜く様子を示す説明用縦断面図（Ａ），（Ｂ），（Ｃ）である。
【図５】ケーシング１５に引上ワイヤ１４を巻き付けて引き上げる従来の方法を説明する説明図である。
【図６】ケーシング１５に引上ワイヤ１４を巻き付けて引き上げる従来の方法を説明する説明図である。
【考案を実施するための形態】
【００１２】
本考案に係る杭の引抜き治具１は、図１に示すように、ワイヤによる投げ縄の輪部分がケーシングなどに引っかかって上に持ち上げられることが無いようにして、引き抜き対象の杭の先端部へ確実にセットできるようにすることである。
【実施例１】
【００１３】
前記杭の引抜き治具１の構成は、図１と図４とに示すように、地盤１５に埋設された杭１３を該杭１３の端部１３ａに引上ワイヤ１４を巻き付かせて引き上げる治具であって、筒状のケーシング２と、該ケーシング２の先端部２ａに輪部分１４ａを巻き付けて一端部１４ｂを地上の引上げ手段（クレーンなど、図示せず）に係合させる投げ縄状の引上ワイヤ１４とがある。
【００１４】
更に、前記ケーシング２の先端部２ａの爪状の突起部分２ｂに係合させ且つ環状部０．材３と係合される切断可能な紐部材４と、前記環状部材３に挿通されるワイヤであってそのワイヤの一端５ａが前記引上ワイヤ１４の輪部分１４ａの一部１４ｃに係止されワイヤの他端５ｂが地上に至るまで配設されるもので前記引上ワイヤ１４の輪部分１４ａの押し下げをする引下ワイヤ５とからなる。
【００１５】
前記引上ワイヤ１４は、図示のように先端部が投げ縄のように輪部分１４ａが形成されているものである。この引上ワイヤ１４の輪部分１４ａにおける先端部（ヘビ口）１４ｃには、引下ワイヤ５の一端５ａが係止されている。この引下ワイヤ５を地上で引くと、環状部材３を挿通しているので、ケーシング２の突起部分２ｂの上下方向の位置が変わらなければ、前記一端５ａが下に押し下げられ、それにより前記輪部分１４ａも引きずられて下がる。この第１実施例では、従来例におけるケーシング１５の突起部１５ａは、不要である。前記引下ワイヤ５で、図１に示す状態を維持しながら掘削孔に降下させることができるからである。
【００１６】
前記環状部材３は、前記引下ワイヤ５の一端５ａを下げるように引下ワイヤ５の引張方向を変更する支点となるものである。また、前記環状部材３は、金属製の強度的に強いリングである。これは、前記引下ワイヤ５を強く引き上げるときに、前記紐部材４を切断させるためのものである。
【００１７】
前記紐部材４としては、例えば、金属製若しくは合成樹脂製の環状部材３によって切断可能な細い番線を使用する。また、引下ワイヤ５は、地上からの操作により、引上ワイヤ１４の輪部分１４ａをケーシング２の上昇に抗して、下に押しとどめるようにする金属製のワイヤである。
【００１８】
このようにして構成した実施例１に係る杭の引抜治具１によれば、図１および図４を参照して説明すると、まず、図４（Ａ），（Ｂ）に示すように、地上に近い杭１２の上端部に引上ワイヤ１４の輪部分１４ａを掛けて、この杭１２をクレーン等で引き上げる。
【００１９】
次に、図１に示す杭の引抜治具１を、ケーシング２の先端部２ａを下にして掘削孔６に挿入する。前記ケーシング２の先端部２ａが杭１３の上部から中間部に至るところで、ケーシング２の降下を停止させる。そして、引上ワイヤ１４を緩めて、引下ワイヤ５を地上にて図１に示すように、引き上げる。すると、前記環状部材３によって引下ワイヤ５の一端５ａが下に引かれ、これに係合する引上ワイヤ１４の輪部分１４ａの全体が引き下げられる。
【００２０】
その後、前記引下ワイヤ５を強く地上で引いて、紐部材４を切断する。こうして、ケーシング２を地上に引き上げる。杭１３の上部に前記引上ワイヤ１４が残され、該引上ワイヤ１４をクレーン等で引き上げる。すると、図４（Ｃ）に示すように、杭１３の上部に引上ワイヤ１４の輪部分１４ａが巻き付いて、この杭１３を引き上げることができる。このようにして、引上ワイヤ１４の輪部分１４ａを確実に地下に埋まった杭１３に括（くく）り付けることができるようになる。
【実施例２】
【００２１】
本発明の実施例２に係る杭の引上げ治具１は、図２に示すように、地盤に埋設された杭を該杭の端部にワイヤを巻き付かせて引き上げる治具であって、筒状のケーシング２と、該ケーシングの先端部に輪部分１４ａを巻き付けて一端部を地上の引上げ手段に係合させる投げ縄状の引上ワイヤ１４と、前記輪部分１４ａに着脱自在に装着されるもので前記輪部分１４ａに位置固定して取り付ける係止部材（Ｕ字ボルト９ａ，ナット９ｂ）と該係止部材（Ｕ字ボルト９ａ，ナット９ｂ）に固定される逆爪部材１０とでなる持上り防止部材７とからなる。
【００２２】
前記持上り防止部材７は、図３（Ａ），（Ｂ）に示すように、逆爪１０ｂを有する逆爪部材１０が有ることで、引上ワイヤ１４がケーシング２を引き上げ時の上昇を阻止するものである。逆爪部材１０は、基部１０ａと逆爪１０ｂとから成るものである。
【００２３】
この第２実施例では、ケーシング２の周壁にある突起部２ｃに、引上ワイヤ１４の輪部分１４ａの一部を掛けておいて、ケーシング２とともに引上ワイヤ１４を、杭１３の途中まで降下させる。
【００２４】
この第２実施例の使用方法を説明すると、一旦、掘削孔６の周壁に摺接しながら前記持上り防止部材７が、前記ケーシング２と共に降下する。その後、ケーシング２を引き上げると、引上ワイヤ１４の輪部分１４ａが当該ケーシング２に引きずられて上昇しようとしても、前記が逆爪部材１０が掘削孔６の周壁にひっかかり、前記輪部分１４ａがそのままの位置に留め置かれる。
【００２５】
前記ケーシング２を引き上げた後、輪部分１４ａを締めて杭１３の上端部に巻き付け、引上ワイヤ１４を地上でクレーン等で引き上げると、図４（Ｃ）に示すように、杭１３を引き上げることができるものである。
【産業上の利用可能性】
【００２６】
本発明に係る杭の引抜治具１は、地中に埋設された杭に限らず、人の手の届かない所にある対象物を持ち上げることに広く適用できるものである。
【符号の説明】
【００２７】
１          杭の引抜治具、
２          ケーシング、              ２ａ            先端部、
２ｂ        突起部分、                ２ｃ            突起部、
３          環状部材、
４          紐部材、
５          引下ワイヤ、              ５ａ            一端、
５ｂ        他端、  
６          掘削孔、
１０        逆爪部材、                １０ａ          基部、
１０ｂ      逆爪、
１１        杭、
１２        １本目の杭、
１３        ２本目の杭、                                      
１４        ワイヤ、                  １４ａ          輪部分、
１４ｂ      一端部、                  １４ｃ          先端部（ヘビ口）、
１５        ケーシング、              １５ａ          突起部、
１６        地盤。
【図１】
0003159275.tif 000003
【図２】
0003159275.tif 000004
【図３】
0003159275.tif 000005
【図４】
0003159275.tif 000006
【図５】
0003159275.tif 000007
【図６】
0003159275.tif 000008